(57)【特許請求の範囲】
【請求項１】
ａ）リモート通信データの収集装置が、現在の複数チャンネルのリモート通信データを受信して第一予設記憶領域における臨時記憶領域に記憶するステップと、
ｂ）リモート通信データの収集装置が、前記現在の複数チャンネルのリモート通信データと第一予設記憶領域における定常記憶領域に記憶された前回受信した複数チャンネルのリモート通信データとを比較して、前記現在の複数チャンネルのリモート通信データが変位したかを判断するステップと、
ｃ）リモート通信データの収集装置が、変位指示信号を生成するステップと、
ｄ）リモート通信データの収集装置が、前記変位指示信号に応じて、前記第一予設記憶領域から前記現在の複数チャンネルのリモート通信データを収集し第二予設記憶領域に記憶して、ステップａに戻るステップと、を備え、
ステップｂにおいて、
リモート通信データの収集装置が、前記現在の複数チャンネルのリモート通信データ中のチャンネルごとのリモート通信データと前回受信した前記複数チャンネルのリモート通信データ中のチャンネルごとのリモート通信データとを、受信順に一対一で比較し、
前記現在の複数チャンネルのリモート通信データ中のあるチャンネルでのリモート通信データが、その前回受信した前記複数チャンネルのリモート通信データ中の対応するあるチャンネルでのリモート通信データと相違する場合、前記現在の複数チャンネルのリモート通信データが変位したと判定し、相違しない場合、前記現在の複数チャンネルのリモート通信データが変位しないと判定し、
変位したと判断する場合、ステップｃを実行し、そうでない場合ステップａに戻る、
ことを特徴とするリモート通信データの収集方法。
【請求項２】
ステップａの前に、
さらに、入力に従って複数チャンネルのリモート通信データの受信周波数を設定し、一回目の受信を始めてから、前記リモート通信データの収集装置が前記受信周波数で複数チャンネルのリモート通信データを受信する受信時点を算出するステップを備え、
前記ステップａは、
リモート通信データの収集装置が、前記受信時点に達したかを判断するステップａ１と、
リモート通信データの収集装置が、現在の複数チャンネルのリモート通信データを受信して第一予設記憶領域における臨時記憶領域に記憶するステップａ２と、を備え、
ステップａ１において、前記受信時点に達した場合、ステップａ２へ進み、達しない場合、ステップａ１へ進む、
ことを特徴とする請求項１に記載のリモート通信データの収集方法。
【請求項３】
前記ステップａと前記ステップｂの間に、
さらに、リモート通信データの収集装置が、前記定常記憶領域にリモート通信データが存在するかを判断するステップを備え、存在する場合、ステップｂを実行し、存在しない場合、現在の複数チャンネルのリモート通信データを比較用の初期データとして前記臨時記憶領域から前記定常記憶領域へ転送しかつ記憶して、前記ステップａに戻る、
ことを特徴とする請求項１に記載のリモート通信データの収集方法。
【請求項４】
前記ステップｃと前記ステップｄの間に、
さらに、リモート通信データの収集装置が、前記定常記憶領域中の、前回受信した複数チャンネルのリモート通信データを、前記現在の複数チャンネルのリモート通信データに更新するステップを備える、
ことを特徴とする請求項１に記載のリモート通信データの収集方法。
【請求項５】
現在の複数チャンネルのリモート通信データを受信して臨時記憶ユニットに記憶するためのリモート通信データ取得ユニットと、
前記現在の複数チャンネルのリモート通信データと前回受信した複数チャンネルのリモート通信データとを比較して、前記現在の複数チャンネルのリモート通信データが変位したかを判断するための変位判断ユニットと、
前記現在の複数チャンネルのリモート通信データが変位した場合、変位指示信号を生成するための変位指示信号生成ユニットと、
前記現在の複数チャンネルのリモート通信データが変位しない場合、トリガとしてリモート通信データ比較ユニットを動作させるためのトリガユニットと、
受信した現在の複数チャンネルのリモート通信データを記憶するための前記臨時記憶ユニットと、前回の複数チャンネルのリモート通信データを記憶し、その中にリモート通信データがない場合、現在の複数チャンネルのリモート通信データを比較用の初期データとして記憶するための定常記憶ユニットとを含む第一記憶ユニットと、
リモート通信データ収集ユニットに収集された現在の複数チャンネルのリモート通信データを記憶するための第二記憶ユニットと、
前記変位指示信号に応じて前記第一記憶ユニットから前記現在の複数チャンネルのリモート通信データを収集し、前記第二記憶ユニットに記憶するための前記リモート通信データ収集ユニットと、を備え、
前記変位判断ユニットは、
前記現在の複数チャンネルのリモート通信データ中のチャンネルごとのリモート通信データと前回受信した前記複数チャンネルのリモート通信データ中のチャンネルごとのリモート通信データとを、受信順に一対一で比較するためのリモート通信データ比較モジュールと、
前記現在の複数チャンネルのリモート通信データ中のあるチャンネルでのリモート通信データが、その前回受信した前記複数チャンネルのリモート通信データ中の対応するあるチャンネルでのリモート通信データと相違する場合、前記現在の複数チャンネルのリモート通信データが変位したと判定し、相違しない場合、前記現在の複数チャンネルのリモート通信データが変位しないと判定するための変位判定モジュールと、
を備えることを特徴とするリモート通信データの収集装置。
【請求項６】
複数チャンネルのリモート通信データの受信周波数を設定し、前記受信周波数で複数チャンネルのリモート通信データを受信する受信時点を算出するための受信時点算出ユニットをさらに備え、
前記リモート通信データ取得ユニットが、
前記受信時点に達したかを判断するための受信時点判断ユニットと、
現在の複数チャンネルのリモート通信データを受信して前記臨時記憶ユニットに記憶するためのリモート通信データ受信・記憶ユニットと、
を含むことを特徴とする請求項５に記載のリモート通信データの収集装置。
【請求項７】
前記定常記憶ユニットにリモート通信データがあるかを判断するためのリモート通信データ判断ユニットと、
前記定常記憶ユニット中の、前回受信した複数チャンネルのリモート通信データを前記現在の複数チャンネルのリモート通信データに更新し、及び前記現在の複数チャンネルのリモート通信データを前記臨時記憶ユニットから前記定常記憶ユニットへ転送して記憶するためのリモート通信データ更新ユニットと、
をさらに備えることを特徴とする請求項５に記載のリモート通信データの収集装置。
【発明の詳細な説明】
【技術分野】
【０００１】
本発明はデータ収集分野に属し、特に、リモート通信データの収集方法及び収集装置に関する。
【背景技術】
【０００２】
電力システムの正常稼働を確保するために、その回路スイッチのオン/オフ状態の即時監視を行い、監視センターによりリモート通信データに対する即時収集と更新を行うことが必要になって、監視者が直ぐに回路スイッチの作業状態を把握することができるようになる。
【０００３】
従来の技術には、即時更新という手段でリモート通信データを収集し、リモート通信データの変位にかかわらず、システムが間断なくリモート通信データに対する収集や更新を行うようになった。このように、リモート通信データに対する即時の収集と更新とが確保されるが、リモート通信データが変位したか否かを区別しなくてリモート通信データに対する収集や更新を行うと、リモート通信データに対する処理時間が増えて、有効リモート通信データに対する収集効率が低減される。
【０００４】
従って、従来のリモート通信データの収集方法には、リモート通信データ処理時間が長く、かつ有効リモート通信データに対する収集効率が低い問題がある。
【発明の概要】
【発明が解決しようとする課題】
【０００５】
従来のリモート通信データの収集方法におけるリモート通信データ処理時間が長く、かつ有効リモート通信データに対する収集効率が低い問題を解決するように、本発明の目的は、リモート通信データの収集方法を提供することである。
【課題を解決するための手段】
【０００６】
本発明は、
ａ）現在の複数チャンネルのリモート通信データを受信して第一予設記憶領域における臨時記憶領域に記憶するステップと、
ｂ）上記現在の複数チャンネルのリモート通信データと第一予設記憶領域における定常記憶領域に記憶された前回受信した複数チャンネルのリモート通信データとを比較して、上記現在の複数チャンネルのリモート通信データが変位したかを判断するステップと、
ｃ）変位指示信号を生成するステップと、
ｄ）上記変位指示信号に応じて、上記第一予設記憶領域から上記現在の複数チャンネルのリモート通信データを収集し第二予設記憶領域に記憶して、ステップａに戻るステップと、
を備え、ステップｂにおいて、変位したと判断する場合、ステップｃを実行し、そうでない場合、ステップａに戻る、リモート通信データの収集方法によって実現される。
【０００７】
本発明の目的は、さらにリモート通信データの収集装置を提供することである。上記リモート通信データの収集装置は、
現在の複数チャンネルのリモート通信データを受信して上記臨時記憶ユニットに記憶するためのリモート通信データ取得ユニットと、
上記現在の複数チャンネルのリモート通信データと前回受信した複数チャンネルのリモート通信データとを比較して、上記現在の複数チャンネルのリモート通信データが変位したかを判断するための変位判断ユニットと、
上記現在の複数チャンネルのリモート通信データが変位した場合、変位指示信号を生成するための変位指示信号生成ユニットと、
上記現在の複数チャンネルのリモート通信データが変位しない場合、トリガとして上記リモート通信データ取得ユニットを動作させるためのトリガユニットと、
受信した現在の複数チャンネルのリモート通信データを記憶するための臨時記憶ユニットと、前回の複数チャンネルのリモート通信データを記憶し、その中にリモート通信データがない場合、現在の複数チャンネルのリモート通信データを比較用の初期データとして記憶するための定常記憶ユニットとを含む第一記憶ユニットと、
上記リモート通信データ収集ユニットに収集された現在の複数チャンネルのリモート通信データを記憶するための第二記憶ユニットと、
上記変位指示信号に応じて上記第一記憶ユニットから上記現在の複数チャンネルのリモート通信データを収集して上記第二記憶ユニットに記憶するためのリモート通信データ収集ユニットと、
を備える。
【発明の効果】
【０００８】
本発明において、ユーザのコマンドに応じて複数チャンネルのリモート通信データを受信し、又は一定の周波数において複数チャンネルのリモート通信データを受信し、また、現在のリモート通信データと前回受信したリモート通信データとを比較し、上記現在のリモート通信データに変位が発生すると、変位指示信号を生成し、さらに上記変位指示信号に応じて上記現在のリモート通信データを収集して予設記憶領域に記憶することにより、リモート通信データが変位した場合のみ、上記現在のリモート通信データを収集し、変位しない場合、当初のリモート通信データを維持するという目的が達成され、リモート通信データに対する処理時間が短縮され、有効リモート通信データに対する収集効率が向上されて、従来のリモート通信データの収集方法に存在しているリモート通信データ処理時間が長く、かつ有効リモート通信データに対する収集効率が低い問題が解決される。
【図面の簡単な説明】
【０００９】
【図１】本発明に係る実施例におけるリモート通信データの収集方法を実現するフローチャートである。
【図２】本発明に係る実施例におけるリモート通信データの収集方法を実現するフローチャートである。
【図３】本発明に係る実施例におけるリモート通信データの収集装置の構成図である。
【発明を実施するための形態】
【００１０】
本発明に係る目的、技術手段及び利点をより分かりやすくなるように、以下、添付図面と実施例を参照して、本発明についてさらに具体的に説明する。ここで記述される具体的な実施例は、解釈用に過ぎなく、本発明がこれに限定されない。
【００１１】
本発明に係る実施例には、ユーザのコマンドに応じて複数チャンネルのリモート通信データを受信し、又は一定の周波数において複数チャンネルのリモート通信データを受信し、また、現在受信したリモート通信データと前回受信したリモート通信データとを比較し、上記の現在受信されたリモート通信データに変位が発生すると、変位指示信号を生成し、さらに上記変位指示信号に応じて上記の現在受信したリモート通信データを収集して予設記憶領域に記憶することにより、リモート通信データが変位した場合のみ、上記リモート通信データを収集し、変位しない場合、当初のリモート通信データを維持するという目的が実現され、リモート通信データに対する処理時間が短縮され、有効リモート通信データに対する収集効率が向上される。
【００１２】
以下、具体的な実施例を参照しつつ本発明に係る具体的な実現方法を詳細な説明する。
【００１３】
実施例：
図１は、本発明に係る実施例におけるリモート通信データの収集方法を実現する流れを示し、また、説明のために、本発明に係る実施例に関連するものしか示しておらず、詳細は以下の通りである。
【００１４】
ステップＳ１０１において、複数チャンネルのリモート通信データに対する受信周波数を設定し、この受信周波数で複数チャンネルのリモート通信データを受信する受信時点を算出する。
【００１５】
ステップＳ１０２において、現在の複数チャンネルのリモート通信データを受信して第一予設記憶領域における臨時記憶領域に記憶する。
【００１６】
図２に示すように、具体的には、ステップＳ１０２は、
受信時点に達したかを判断するＳ１０２１と、
現在の複数チャンネルのリモート通信データを受信し、この現在の複数チャンネルのリモート通信データを第一予設記憶領域における臨時記憶領域に記憶するＳ１０２２と、を備え、
また、Ｓ１０２１において、受信時点に達した場合、ステップＳ１０２２へ進み、達しない場合、ステップＳ１０２１へ進む。
【００１７】
ステップＳ１０３において、第一予設記憶領域における定常記憶領域にはリモート通信データがあるかを判断して、存在する場合、ステップＳ１０５を実行し、存在しない場合、ステップＳ１０４を実行する。
【００１８】
ステップＳ１０４において、現在の複数チャンネルのリモート通信データを比較用の初期データとして第一予設記憶領域における臨時記憶領域から第一予設記憶領域における定常記憶領域へ転送し記憶して、ステップＳ１０１に戻る。
【００１９】
本発明に係る実施例には、ステップＳ１０３及びステップＳ１０４により、一回目の実行リモート通信データの収集操作の場合（すなわち、定常記憶領域にリモート通信データがない場合）に、受信された複数チャンネルのリモート通信データを臨時記憶領域を介して定常記憶領域へ転送して記憶することが確保されて、二回目に複数チャンネルのリモート通信データを受信した後、比較用の初期データを持って二回目に受信した複数チャンネルのリモート通信データの変位判断を行うことが確保される。
【００２０】
ステップＳ１０５において、現在の複数チャンネルのリモート通信データと前回受信した複数チャンネルのリモート通信データとを比較して、この現在の複数チャンネルのリモート通信データが変位したかを判断し、変位した場合、ステップＳ１０６を実行し、変位しない場合、ステップＳ１０２に戻る。
【００２１】
具体的には、ステップＳ１０５は、
現在の複数チャンネルのリモート通信データ中のチャンネルごとのリモート通信データと前回受信した複数チャンネルのリモート通信データ中のチャンネルごとのリモート通信データとを、受信順で一対一で比較するステップと、
現在の複数チャンネルのリモート通信データ中のあるチャンネルでのリモート通信データが、その前回受信した複数チャンネルのリモート通信データ中の対応するあるチャンネルでのリモート通信データと相違する場合、現在の複数チャンネルのリモート通信データが変位したと判定し、相違しない場合、現在の複数チャンネルのリモート通信データが変位しないと判定する。
【００２２】
ステップS１０６において、変位指示信号を生成する。
【００２３】
ステップＳ１０７において、第一予設記憶領域における定常記憶領域中の前回受信した複数チャンネルのリモート通信データを現在の複数チャンネルのリモート通信データに更新する。
【００２４】
本発明に係る実施例には、ステップＳ１０７において、前回受信した複数チャンネルのリモート通信データを現在の複数チャンネルのリモート通信データに更新することにより、現在の複数チャンネルのリモート通信データが変位した場合に定常記憶領域に最新のリモート通信データを記憶していることが確保されて、システムが最新のリモート通信データを呼び出して後続のデータ分析を行うようになる。
【００２５】
ステップＳ１０８において、変位指示信号に応じて第一予設記憶領域からこの現在の複数チャンネルのリモート通信データを収集し第二予設記憶領域に記憶して、ステップＳ１０２に戻る。
【００２６】
本発明に係る実施例には、ユーザのコマンドに応じて複数チャンネルのリモート通信データを受信し、又は一定の周波数において複数チャンネルのリモート通信データを受信し、また、現在の複数チャンネルのリモート通信データと前回受信した複数チャンネルのリモート通信データとを比較し、現在の複数チャンネルのリモート通信データに変位が発生すると、変位指示信号を生成し、さらにこの変位指示信号に応じて現在の複数チャンネルのリモート通信データを収集して予設記憶領域に記憶することにより、リモート通信データが変位した場合のみ、現在の複数チャンネルのリモート通信データを収集し、変位しない場合、当初のリモート通信データを維持するという目的が達成され、リモート通信データに対する処理時間が短縮され、有効リモート通信データに対する収集効率が向上されて、従来のリモート通信データの収集方法に存在しているリモート通信データ処理時間が長く、かつ有効リモート通信データに対する収集効率が低い問題が解決される。
【００２７】
本発明に係る実施例には、人手で複数チャンネルのリモート通信データの受信周波数を予め設定し、一回目の受信が始めてから、上記の周波数に応じて後続の複数チャンネルのリモート通信データの受信時点を算出する。現在の複数チャンネルのリモート通信データを受信するステップＳ１０１において、まず、受信時点であるかを判断し、そうである場合、リモート通信データの受信を行い、そうでない場合、受信時点まで待ち続ける。
【００２８】
上記実施例方法の全てまたは一部のステップを実現するように、プログラムのコマンドに従って、コンピュータ読み取り可能な記録媒体、例えば、ＲОＭ/ＲＡＭ、磁気ディスク、光ディスクなどに記憶できるハードウェアにより達成してよいということは、当業者によって理解される。
【００２９】
図３は、本発明に係る実施例におけるリモート通信データの収集装置の構成を示し、説明のために、本発明に係る実施例と関連しない部分を省略する。その詳細は以下の通りである。
【００３０】
リモート通信データの収集装置は、リモート通信データ取得ユニット１００と、変位判断ユニット２００と、変位指示信号生成ユニット３００と、リモート通信データ収集ユニット４００と、臨時記憶ユニット５０１及び定常記憶ユニット５０２を含む第一記憶ユニット５００と、第二記憶ユニット６００と、を備える。
【００３１】
リモート通信データ取得ユニット１００は、現在の複数チャンネルのリモート通信データを受信して臨時記憶ユニット５０１に記憶するためのものである。
【００３２】
また、具体的には、リモート通信データ取得ユニット１００は、
受信時点に達したかを判断するための受信時点判断ユニット１０１と、
現在の複数チャンネルのリモート通信データを受信して臨時記憶ユニット５０１に記憶するためのリモート通信データ受信ユニット１０２と、
を備える。
【００３３】
変位判断ユニット２００は、現在の複数チャンネルのリモート通信データと前回受信した複数チャンネルのリモート通信データとを比較し、この現在の複数チャンネルのリモート通信データが変位したかを判断するためのものである。
【００３４】
具体的には、変位判断ユニット２００は、
現在の複数チャンネルのリモート通信データ中のチャンネルごとのリモート通信データと前回受信した複数チャンネルのリモート通信データ中のチャンネルごとのリモート通信データとを、受信順に一対一で比較するためのリモート通信データ比較モジュール２０１と、
現在の複数チャンネルのリモート通信データ中のあるチャンネルでのリモート通信データが、その前回受信した複数チャンネルのリモート通信データ中の対応するあるチャンネルでのリモート通信データと相違する場合、現在の複数チャンネルのリモート通信データが変位したと判定し、相違しない場合、現在の複数チャンネルのリモート通信データが変位しないと判定するための変位判定モジュール２０２と、
を備える。
【００３５】
変位指示信号生成ユニット３００は、現在の複数チャンネルのリモート通信データが変位した場合、変位指示信号を生成するためのものである。
【００３６】
臨時記憶ユニット５０１は、受信した現在の複数チャンネルのリモート通信データを記憶するためのものである。
【００３７】
定常記憶ユニット５０２は、前回の複数チャンネルのリモート通信データを記憶し、その中にリモート通信データがない場合、現在の複数チャンネルのリモート通信データを比較用の初期データとして記憶するためのものである。
【００３８】
リモート通信データ収集ユニット４００は、変位指示信号に応じて第一記憶ユニット５００から現在の複数チャンネルのリモート通信データを収集して第二記憶ユニット６００に記憶するためのものである。
【００３９】
第二記憶ユニット６００は、リモート通信データ収集ユニット４００に収集された現在の複数チャンネルのリモート通信データを記憶するためのものである。
【００４０】
リモート通信データの収集装置は、さらに、
複数チャンネルのリモート通信データの受信周波数を設定し、この受信周波数で複数チャンネルのリモート通信データを受信する受信時点を算出するための受信時点算出ユニット７００と、
定常記憶ユニット５０２にリモート通信データがあるかを判断するためのリモート通信データ判断ユニット８００と、
現在の複数チャンネルのリモート通信データが変位しない場合、トリガとしてリモート通信データ比較モジュール２０１を動作させるためのトリガユニット９００と、
第一記憶ユニット５００中の前回受信した複数チャンネルのリモート通信データを現在の複数チャンネルのリモート通信データに更新し、及び現在の複数チャンネルのリモート通信データを臨時記憶ユニット５０１から定常記憶ユニット５０２へ転送して記録するためのリモート通信データ更新ユニット１０００と、
を備える。
【００４１】
本発明に係る実施例には、ユーザのコマンドに応じて複数チャンネルのリモート通信データを受信し、又は一定の周波数において複数チャンネルのリモート通信データを受信し、また、現在の複数チャンネルのリモート通信データと前回受信した複数チャンネルのリモート通信データとを比較し、現在の複数チャンネルのリモート通信データに変位が発生すると、変位指示信号を生成し、さらにこの変位指示信号に応じて現在の複数チャンネルのリモート通信データを収集して予設記憶領域に記憶することにより、リモート通信データが変位した場合のみ、現在の複数チャンネルのリモート通信データを収集し、変位しない場合、当初のリモート通信データを維持するという目的が実現され、リモート通信データに対する処理時間が短縮され、有効リモート通信データに対する収集効率が向上されて、従来のリモート通信データの収集方法に存在しているリモート通信データ処理時間が長く、かつ有効リモート通信データに対する収集効率が低い問題が解決される。
【００４２】
上記は本発明に係る好ましい実施例に過ぎなく、本発明がこれに限定されない。本発明の精神と要旨を逸脱しない範囲での修正、等価の変更及び改良などは、いずれも本発明の範囲に含まれる。
【図１】
0006042903.tif 000002
【図２】
0006042903.tif 000003
【図３】
0006042903.tif 000004